(57)【要約】      （修正有）【課題】土嚢袋の外袋が破損しても中身がこぼれず資源の節約や再利用ができる土嚢マットを提供する。【解決手段】耐候性の機能を有する四角形のビニル袋１の一端にチャック２を設け、太陽光の透過を軽減するように有色する。またビニル袋の表面に滑り止めとして突起５を設け、砂、土等の目的の量を入れる目安となる目盛を表記する。ビニル袋を土嚢マットに詰め口を閉じ、土嚢マットを横方向にジョイントし並べたり積み重ねる事を特徴とする。【選択図】図３
2016048021.tif 000002
【特許請求の範囲】
【請求項１】
耐候性の機能を有するビニル袋（１）の一端にチャック（２）を設ける。ビニル袋（１）には太陽光が砂や土に透過する事を軽減するよう有色する。ビニル袋（１）の表面に目的の量を入れる為の目安となる目盛り（３）を表記する。ビニル（１）と土嚢袋（４）の滑り止めとして突起（５）を設け、土嚢マット（１０）に詰め込み封をする。マット小口にマジックテープ（７）を設け、マット耳（８）にマジックテープ（７）にて固定する結束ベルト（９）を通して一体化する事ができる土嚢マット。
【発明の詳細な説明】
【技術分野】
【０００１】  この発明は土嚢マットの中に更に丈夫な袋を入れ機能や強度を向上する事を目的とした土嚢袋に関するものである。
【背景技術】
【０００２】  従来、土嚢袋とは簡素な構造であり、破れによる中身の流出や恒久的に機能や強度を有する事に問題があった。
【先行技術文献】
【特許文献】
【０００３】
【特許文献１】
【非特許文献１】
【発明の概要】
【発明が解決しようとする課題】  従来の土嚢袋だと太陽光や塩害や酸性雨や経年劣化など様々な理由で外装の袋が破損し恒久的に効果を維持できる事が難しかった。また事前に作成し備えてもその状態を維持する事も難しかった。本発明は以上のような欠点を改善する為になされたものである。
【課題を解決するための手段】
【０００５】  耐候性の機能を有する四角形状のビニル袋（１）の一端にチャック（２）を設ける。ビニル袋（１）には太陽光が砂や土に透過する事を軽減するよう有色する。土嚢マット（１０）の中にビニル袋（１）を入れ土嚢マットを封する。本発明は以上の構成による土嚢マットである。
【発明の効果】
【０００６】  従来の土嚢袋だと太陽光や塩害や酸性雨や経年劣化など様々な理由で外装の袋の破損が多々見られたが、土嚢マットを使用する事によって中期に亘る災害予防の事前準備や備えが可能となり整備推進に努める事ができる。また、土嚢内に詰め込む砂・土等などが木片・粘土・砂利・海水・泥水等と接触しないので資源の節約・再利用ができる。土嚢袋が劣化し内部に詰め込んだ砂や土と土嚢外装が混ざってしまう事や緊急災害時等使用後も内部からの砂・土の流出も防げるので撤収計画や廃棄物分別の問題も解決できる。また、整列や積み重ねができ連結する事によって従来個々に置いた土嚢袋より安定して並べたり積み重ねたりする事ができる。
【発明を実施するための形態】
【０００８】  耐候性の機能を有し、砂・土等が目的の量で入る四角形状の厚み０．１０ｍｍ〜０．１５ｍｍ程度のビニル袋（１）の一端にチャック（２）を設ける。ビニル袋（１）の表面には太陽光の透過を軽減するように有色する。表面と裏面を押さえ縫いする為に当て板としてウレタンや合成スポンジなどのフォーム体を入れる。また滑り防止の為にビニル袋（１）の表面にビニル樹脂・ゴム・ポリウレタン素材等の突起（５）を設け、防水ターポリン又は加硫ゴムシートや幌布でできた表面（４）と裏面はには滑り止め幌布（６）を設ける。マット小口にはマジックテープ（７）を設け、横方向にジョイントでき、マット耳（８）にマジックテープ（７）を設けた結束ベルト（９）で固定して一体化する。本発明は以上のような構造であり、本発明を使用する時にはビニル袋（１）のチャックより砂・土を入れチャック（２）を閉じ予め用意した土嚢マット（１０）の口を閉じ土嚢マット（１０）を並べ積み重ねて使えばよい。
【符号の説明】
【０００９】  １．ビニル袋
２．チャック
３．フォーム体
４．表面
５．突起
６．滑り止め幌布
７．マジックテープ
８．マット耳
９．結束ベルト
１０．土嚢マット
【図１】
2016048021.tif 000003
【図２】
2016048021.tif 000004
【図３】
2016048021.tif 000005
【手続補正書】
【提出日】平成26年10月30日(2014.10.30)
【手続補正１】
【補正対象書類名】明細書
【補正対象項目名】全文
【補正方法】変更
【補正の内容】
【発明の詳細な説明】
【技術分野】
【０００１】  この発明は土嚢マットの中に更に丈夫な袋を入れ機能や強度を向上する事を目的とした土嚢袋に関するものである。
【背景技術】
【０００２】  従来、土嚢袋とは簡素な構造であり、破れによる中身の流出や恒久的に機能や強度を有する事に問題があった。
【先行技術文献】
【特許文献】
【０００３】
【特許文献１】
【非特許文献１】
【発明の概要】
【発明が解決しようとする課題】
【０００４】  従来の土嚢袋だと太陽光や塩害や酸性雨や経年劣化など様々な理由で外装の袋が破損し恒久的に効果を維持できる事が難しかった。また事前に作成し備えてもその状態を維持する事も難しかった。本発明は以上のような欠点を改善する為になされたものである。
【課題を解決するための手段】
【０００５】  耐候性の機能を有する四角形状のビニル袋（１）の一端にチャック（２）を設ける。ビニル袋（１）には太陽光が砂や土に透過する事を軽減するよう有色する。土嚢マット（１０）の中にビニル袋（１）を入れ土嚢マットを封する。本発明は以上の構成による土嚢マットである。
【発明の効果】
【０００６】  従来の土嚢袋だと太陽光や塩害や酸性雨や経年劣化など様々な理由で外装の袋の破損が多々見られたが、土嚢マットを使用する事によって中期に亘る災害予防の事前準備や備えが可能となり整備推進に努める事ができる。また、土嚢内に詰め込む砂・土等などが木片・粘土・砂利・海水・泥水等と接触しないので資源の節約・再利用ができる。土嚢袋が劣化し内部に詰め込んだ砂や土と土嚢外装が混ざってしまう事や緊急災害時等使用後も内部からの砂・土の流出も防げるので撤収計画や廃棄物分別の問題も解決できる。また、整列や積み重ねができ連結する事によって従来個々に置いた土嚢袋より安定して並べたり積み重ねたりする事ができる。
【図面の簡単な説明】
【０００７】
【図１】（平面図）土嚢マット全景を表面４や裏面の滑り止め幌布６や小口に付属していマジックテープ７やマット耳８などを一目瞭然に示した図である。
【図２】（立体図）土嚢マットを積み重ねて連結している姿を示した図である。マット耳８に結束ベルト９を通して締め固めを行う。
【図３】（断面図）土嚢マットに砂を入れたビニル袋を入れ収めた姿を示した図である。ビニル１に砂を充填しチャック２を締め土嚢マットに入れ小口を塞ぐ様子を断面図１方向から見たものである。断面図２方向では機能できる状態を示した図である。
【発明を実施するための形態】
【０００８】  耐候性の機能を有し、砂・土等が目的の量で入る四角形状の厚み０．１０ｍｍ〜０．１５ｍｍ程度のビニル袋（１）の一端にチャック（２）を設ける。ビニル袋（１）の表面には太陽光の透過を軽減するように有色する。表面と裏面を押さえ縫いする為に当て板としてウレタンや合成スポンジなどのフォーム体を入れる。また滑り防止の為にビニル袋（１）の表面にビニル樹脂・ゴム・ポリウレタン素材等の突起（５）を設け、防水ターポリン又は加硫ゴムシートや幌布でできた表面（４）と裏面はには滑り止め幌布（６）を設ける。マット小口にはマジックテープ（７）を設け、横方向にジョイントでき、マット耳（８）にマジックテープ（７）を設けた結束ベルト（９）で固定して一体化する。本発明は以上のような構造であり、本発明を使用する時にはビニル袋（１）のチャックより砂・土を入（１０）を並べ積み重ねて使えばよい。
【符号の説明】
【０００９】  １．ビニル袋
２．チャック
３．フォーム体
４．表面
５．突起
６．滑り止め幌布
７．マジックテープ
８．マット耳
９．結束ベルト
１０．土嚢マット